(57)【要約】【課題】クリーニング部材と感光体との間に記録媒体が入り込んだ場合に、記録媒体を容易に取り除くことができる感光体カートリッジを提供すること。【解決手段】  クリーニングフレーム６０は、感光ドラム３に近接する第１位置と、第１位置よりも感光ドラム３から離れる第２位置との間を移動可能である。１次クリーニングローラ６は、クリーニングフレーム６０が第１位置に位置する状態において、感光ドラム３と当接して感光ドラム３の表面を清掃し、クリーニングフレーム６０が第２位置に位置する状態において、感光ドラム３から離間するように構成される。また、クリーニングフレーム６０は、操作部７２を有する。そのため、操作部７２を操作することによりクリーニングフレーム６０を第１位置から第２位置に移動させて、１次クリーニングローラ６を感光ドラム３から離間させることができる。【選択図】図７
2015194574.tif 000002
【特許請求の範囲】
【請求項１】
第１筐体と、
前記第１筐体内に位置し、第１方向に延びる第１軸線を中心として回転可能である感光体と、
前記第１筐体内に位置し、前記感光体に近接する第１位置と、前記第１位置よりも前記感光体から離れる第２位置との間を移動するように構成される第２筐体と、
前記第２筐体内に位置し、前記第２筐体が前記第１位置に位置する状態において、前記感光体と当接して前記感光体の表面を清掃し、前記第２筐体が前記第２位置に位置する状態において、前記感光体から離間するように構成されるクリーニング部材と、を備え、
前記第２筐体は、前記第２筐体を前記第１位置と前記第２位置との間を移動させるように構成される操作部を有することを特徴とする、感光体カートリッジ。
【請求項２】
前記操作部は、前記第１方向において前記第２筐体の中央部に位置することを特徴とする、請求項１に記載の感光体カートリッジ。
【請求項３】
前記操作部は、前記感光体と前記クリーニング部材とが当接する当接部分における接線を境界として、前記感光体と反対側に位置することを特徴とする、請求項１または２に記載の感光体カートリッジ。
【請求項４】
前記操作部は、前記第２筐体の内方に向かって凹む凹部であることを特徴とする、請求項１ないし３のいずれか一項に記載の感光体カートリッジ。
【請求項５】
前記第１筐体は、開口部を有し、
前記操作部は、前記開口部を介して露出していることを特徴とする、請求項１ないし４のいずれか一項に記載の感光体カートリッジ。
【請求項６】
前記第１筐体は、画像を形成する記録媒体を案内する案内部を有し、
前記開口部は、前記第２筐体の移動方向および前記第１方向の両方と直交する第２方向において、前記クリーニング部材と前記案内部との間に位置することを特徴とする、請求項５に記載の感光体カートリッジ。
【請求項７】
前記クリーニング部材を前記感光体に向けて押圧する押圧部材をさらに備えることを特徴とする、請求項１ないし６のいずれか一項に記載の感光体カートリッジ。
【請求項８】
前記第１筐体は、前記押圧部材が前記クリーニング部材を押圧する押圧方向に沿って延び、前記第２筐体の前記第１位置と前記第２位置との間の移動をガイドするように構成されるガイド部を有することを特徴とする、請求項７に記載の感光体カートリッジ。
【請求項９】
前記第２筐体を前記第２位置に位置した状態で保持する保持部材をさらに備えることを特徴とする、請求項１ないし８のいずれか一項に記載の感光体カートリッジ。
【発明の詳細な説明】
【技術分野】
【０００１】
本発明は、電子写真方式が採用される画像形成装置に収容されるように構成される感光体カートリッジに関する。
【背景技術】
【０００２】
従来より、電子写真方式が採用される画像形成装置に収容され、感光ドラムを備えるドラムカートリッジが知られている。ドラムカートリッジでは、画像形成動作中は感光ドラムの表面に現像剤像が担持され、この現像剤像が記録媒体に転写される。
【０００３】
このようなドラムカートリッジとして、例えば、感光ドラムの表面を清掃するためのクリーニングユニットを備えるドラムカートリッジが知られている。このドラムカートリッジでは、クリーニングユニットは、感光ドラムの表面に当接する１次クリーニングローラを備える。そして、画像形成動作が開始されて感光ドラムが回転すると、感光ドラム上の紙粉が１次クリーニングローラによって回収される（例えば、特許文献１参照）。
【先行技術文献】
【特許文献】
【０００４】
【特許文献１】特開２０１３−９７１５１号公報
【発明の概要】
【発明が解決しようとする課題】
【０００５】
しかるに、上記特許文献１に記載のドラムカートリッジでは、記録媒体が１次クリーニングローラと感光ドラムとの間に挟まった場合に、記録媒体を取り出し難いという不具合が生じる。具体的には、記録媒体が湾曲等している場合において画像形成動作を行うと、搬送される記録媒体が、感光ドラムの転写位置を通過して、１次クリーニングローラと感光ドラムとの間に入り込むことがある。そうすると、これらの間に入り込んだ記録媒体を取り出し難いという不具合が生じる。
【０００６】
そこで、本発明の目的は、クリーニング部材と感光体との間に記録媒体が入り込んだ場合に、記録媒体を容易に取り除くことができる感光体カートリッジを提供することにある。
【課題を解決するための手段】
【０００７】
（１）本発明の感光体カートリッジは、第１筐体と、第１筐体内に位置し、第１方向に延びる第１軸線を中心として回転可能である感光体と、第１筐体内に位置し、感光体に近接する第１位置と、第１位置よりも感光体から離れる第２位置との間を移動するように構成される第２筐体と、第２筐体内に位置し、第２筐体が第１位置に位置する状態において、感光体と当接して感光体の表面を清掃し、第２筐体が第２位置に位置する状態において、感光体から離間するように構成されるクリーニング部材と、を備える。第２筐体は、第２筐体を第１位置と第２位置との間を移動させるように構成される操作部を有する。
【０００８】
このような構成によれば、第２筐体は、感光体に近接する第１位置と、第１位置よりも感光体から離れる第２位置との間を移動可能である。また、クリーニング部材は、第２筐体が第１位置に位置する状態において、感光体と当接して感光体の表面を清掃し、第２筐体が第２位置に位置する状態において、感光体から離間するように構成される。また、第２筐体は、第２筐体を第１位置と第２位置との間を移動させるように構成される操作部を有する。
【０００９】
そのため、クリーニング部材と感光体との間に記録媒体が入り込んだ場合に、操作部を操作することにより第２筐体を第１位置から第２位置に移動させて、クリーニング部材を感光体から離間させることができる。
【００１０】
その結果、クリーニング部材と感光体との間に記録媒体が入り込んだ場合に、記録媒体を容易に取り除くことができる。
【００１１】
また、第２筐体内にクリーニング部材が位置する。そして、第２筐体が操作部を有する。
【００１２】
そのため、簡易な構成でありながら、クリーニング部材を感光体から離間させることができる。
（２）また、操作部は、第１方向において第２筐体の中央部に位置してもよい。
【００１３】
このような構成によれば、操作部を操作する際に、第２筐体に安定的に力を加えることができる。
【００１４】
その結果、第１方向に投影したときに、クリーニング部材を均一な状態で、感光体に対して当接させ、または、感光体から離間させることができる。
（３）また、操作部は、感光体とクリーニング部材とが当接する当接部分における接線を境界として、感光体と反対側に位置してもよい。
【００１５】
このような構成によれば、クリーニング部材を感光体から離間させるように操作部を操作する際に、操作部に力を加えやすい。
【００１６】
そのため、クリーニング部材を感光体から確実に離間させることができる。
（４）また、操作部は、第２筐体の内方に向かって凹む凹部であってもよい。
【００１７】
このような構成によれば、操作部を把持しやすい構成にできる。
【００１８】
そのため、操作部を操作しやすい構成にできる。
（５）また、第１筐体は、開口部を有してもよい。操作部は、開口部を介して露出していてもよい。
【００１９】
このような構成によれば、開口部を介して第１筐体の外方から操作部を操作できる。
【００２０】
その結果、操作部を一層操作しやすい構成にできる。
（６）また、第１筐体は、画像を形成する記録媒体を案内する案内部を有してもよい。開口部は、第２筐体の移動方向および第１方向の両方と直交する第２方向において、クリーニング部材と案内部との間に位置してもよい。
【００２１】
このような構成によれば、開口部は、第２方向においてクリーニング部材と案内部との間に位置する。
【００２２】
そのため、操作部を一層操作しやすい構成にできる。
（７）また、クリーニング部材を感光体に向けて押圧する押圧部材をさらに備えてもよい。
【００２３】
このような構成によれば、押圧部材によって常にはクリーニング部材を感光体に当接させることができる。
【００２４】
そのため、クリーニング部材によって感光体を安定的に清掃できる。
（８）また、第１筐体は、押圧部材がクリーニング部材を押圧する押圧方向に沿って延び、第２筐体の第１位置と第２位置との間の移動をガイドするように構成されるガイド部を有してもよい。
【００２５】
このような構成によれば、ガイド部によって、第２筐体を第１位置と第２位置との間を円滑に移動させることができる。
【００２６】
そのため、クリーニング部材を、感光体に円滑に当接させ、または、感光体から円滑に離間させることができる。
（９）また、第２筐体を第２位置に位置した状態で保持する保持部材をさらに備えてもよい。
【００２７】
このような構成によれば、保持部材によって第２筐体が第２位置に位置した状態を保持できる。
【００２８】
そのため、感光体カートリッジの搬送時等、画像形成動作を行わない場合に、保持部材によってクリーニング部材が感光体から離間した状態を保持できる。
【００２９】
その結果、感光体の劣化を抑制できる。
【発明の効果】
【００３０】
本発明の感光体カートリッジでは、クリーニング部材と感光体との間に記録媒体が入り込んだ場合に、記録媒体を容易に取り除くことができる。
【図面の簡単な説明】
【００３１】
【図１】図１は、本発明の感光体カートリッジの一実施形態としてのドラムカートリッジを示す側断面図である。
【図２】図２は、図１に示すドラムカートリッジを備えるプリンタの中央断面図である。
【図３】図３は、図１に示すドラムカートリッジの背面図である。
【図４】図４は、図１に示すドラムカートリッジを左下方から見た斜視図である。
【図５】図５は、図１に示すドラムカートリッジのクリーニングユニットを左下方から見た斜視図である。
【図６】図６は、図３に示すドラムカートリッジの後方部分のＡ−Ａ断面図であって、１次クリーニングローラと感光ドラムとが接触している状態を示す断面図である。
【図７】図７は、図３に示すドラムカートリッジの後方部分のＡ−Ａ断面図であって、１次クリーニングローラと感光ドラムとが離間している状態を示す断面図である。
【図８】図８は、図３に示すドラムカートリッジの後方部分のＢ−Ｂ断面図であって、１次クリーニングローラと感光ドラムとが接触している状態を示す断面図である。
【図９】図９は、図３に示すドラムカートリッジの後方部分のＢ−Ｂ断面図であって、１次クリーニングローラと感光ドラムとが離間している状態を示す断面図である。
【図１０】図１０は、図１に示すドラムカートリッジの第２実施形態を示す側断面図である。
【発明を実施するための形態】
【００３２】
１．ドラムカートリッジの概略
図１に示すように、感光体カートリッジの一例としてのドラムカートリッジ１は、第１筐体の一例としてのドラムフレーム２と、感光体の一例としての感光ドラム３と、スコロトロン型帯電器４と、転写ローラ５と、クリーニングユニット７０とを備えている。
【００３３】
なお、以下の説明において、ドラムカートリッジ１の方向に言及するときには、図１に示す状態を上下の基準とする。すなわち、図１の紙面上方が上方であり、紙面下方が下方である。また、図１の紙面右方が前方であり、図１の紙面左方が後方である。また、ドラムカートリッジ１を前方から見たときを左右の基準とする。また、左右方向は、第１方向の一例であり、上下方向は、第２方向の一例である。
【００３４】
ドラムフレーム２は、ベースフレーム１０と、カバーフレーム１１とを備えている。
【００３５】
ベースフレーム１０は、後で詳述するが、平面視略矩形の有底枠形状を有している。カバーフレーム１１は、後で詳述するが、平面視略矩形の板形状を有し、ベースフレーム１０の後方部の上端を被覆している。
【００３６】
感光ドラム３は、左右方向に延びる略円筒形状を有し、ベースフレーム１０の後方部とカバーフレーム１１との間に位置している。感光ドラム３の左右方向両端部は、ベースフレーム１０に回転可能に支持されている。
【００３７】
スコロトロン型帯電器４は、カバーフレーム１１の前端部の下面に支持されている。スコロトロン型帯電器４は、感光ドラム３の上方において、感光ドラム３と間隔を隔てて位置している。
【００３８】
転写ローラ５は、左右方向に延びる略円筒形状を有し、ベースフレーム１０の後方部に位置している。転写ローラ５の左右方向両端部は、ベースフレーム１０に回転可能に支持されている。転写ローラ５は、感光ドラム３の下方に位置しており、その上端部は、感光ドラム３の下端部と接触している。
【００３９】
クリーニングユニット７０は、ベースフレーム１０の後方部とカバーフレーム１１との間に位置しており、詳しくは、感光ドラム３の後方に位置している。クリーニングユニット７０は、第２筐体の一例としてのクリーニングフレーム６０と、クリーニング部材の一例としての１次クリーニングローラ６と、２次クリーニングローラ７とを備えている。
【００４０】
クリーニングフレーム６０は、後で詳述するが、前端部が開口され、左右方向に延びる略ボックス形状を有している。クリーニングフレーム６０内において、上方部にスポンジスクレーパ１４が位置し、下方部に仕切壁１２が位置している。仕切壁１２の上端部には、フィルム１３が取り付けられている。
【００４１】
１次クリーニングローラ６は、左右方向に延びる略円筒形状を有し、クリーニングフレーム６０内の前端部に位置している。１次クリーニングローラ６の左右方向両端部は、クリーニングフレーム６０に回転可能に支持されている。１次クリーニングローラ６の前下端部は、感光ドラム３の後上端部と接触している。
【００４２】
２次クリーニングローラ７は、クリーニングフレーム６０内の中央部に位置している。２次クリーニングローラ７の左右方向両端部は、クリーニングフレーム６０に回転可能に支持されている。２次クリーニングローラ７は、その前下端部が１次クリーニングローラ６の後上端部と接触し、その上端部がスポンジスクレーパ１４に接触し、その後下端部がフィルム１３の上端部に接触している。
【００４３】
クリーニングフレーム６０の後方部においては、２次クリーニングローラ７、仕切壁１２、フィルム１３、スポンジスクレーパ１４の後方に紙粉貯留室１５が区画されている。
２．ドラムカートリッジの使用態様
図２に示すように、ドラムカートリッジ１は、プリンタ２０に装着されて使用される。
【００４４】
プリンタ２０は、電子写真方式のモノクロプリンタである。プリンタ２０は、装置本体２１と、プロセスカートリッジ２２と、スキャナユニット２３と、定着ユニット２４とを備えている。
【００４５】
装置本体２１は、略ボックス形状を有している。装置本体２１は、開口部２５と、フロントカバー２６と、給紙トレイ２７と、排紙トレイ２８とを有している。
【００４６】
開口部２５は、装置本体２１の前端部に位置している。開口部２５は、プロセスカートリッジ２２の通過を許容するように、装置本体２１の内外を前後方向に連通している。
【００４７】
フロントカバー２６は、装置本体２１の前端部に位置している。フロントカバー２６は、略平板形状を有している。フロントカバー２６は、上下方向に延び、その下端部を支点として装置本体２１の前壁に揺動可能に支持されている。フロントカバー２６は、開口部２５を開放または閉鎖するように構成されている。
【００４８】
給紙トレイ２７は、装置本体２１の底部に位置している。給紙トレイ２７は、記録媒体の一例としての用紙Ｐを収容するように構成されている。
【００４９】
排紙トレイ２８は、装置本体２１の上壁の後側半分に位置している。排紙トレイ２８は、用紙Ｐが載置されるように、装置本体２１の上面から下方へ凹んでいる。
【００５０】
プロセスカートリッジ２２は、装置本体２１の上下方向略中央に収容されている。プロセスカートリッジ２２は、開口部２５を介して装置本体２１に対して収容され、または、装置本体２１から離脱するように構成されている。プロセスカートリッジ２２は、上記したドラムカートリッジ１と、現像カートリッジ３０とを備えている。
【００５１】
現像カートリッジ３０は、感光ドラム３の前方において、ドラムカートリッジ１に収容されている。現像カートリッジ３０は、現像ローラ３１と、供給ローラ３２と、層厚規制ブレード３３と、トナー収容部３４とを有している。
【００５２】
現像ローラ３１は、左右方向に延びる略円柱形状を有し、現像カートリッジ３０の後端部において、回転可能に支持されている。現像ローラ３１の後端部は、感光ドラム３の前端部に接触している。
【００５３】
供給ローラ３２は、左右方向に延びる略円柱形状を有し、現像カートリッジ３０の後端部において、回転可能に支持されている。供給ローラ３２は、現像ローラ３１の前下方に位置しており、その後上端部は、現像ローラ３１の前下端部に接触している。
【００５４】
層厚規制ブレード３３は、現像ローラ３１の前上方に位置している。層厚規制ブレード３３は、現像ローラ３１の前端部に接触している。
【００５５】
トナー収容部３４は、供給ローラ３２および層厚規制ブレード３３の前方に位置している。トナー収容部３４は、トナーを収容するように構成されている。トナー収容部３４は、アジテータ３５を備えている。
【００５６】
アジテータ３５は、トナー収容部３４内において、現像カートリッジ３０に回転可能に支持されている。
【００５７】
スキャナユニット２３は、プロセスカートリッジ２２の上方に位置している。スキャナユニット２３は、感光ドラム３に向けて画像データに基づくレーザービームを出射するように構成されている。
【００５８】
定着ユニット２４は、プロセスカートリッジ２２の後方に位置している。定着ユニット２４は、加熱ローラ３６と、加熱ローラ３６の後下端部に圧接される加圧ローラ３７とを備えている。
【００５９】
プリンタ２０が画像形成動作を開始すると、スコロトロン型帯電器４は、感光ドラム３の表面を一様に正極性に帯電する。スキャナユニット２３は、画像データに基づいて感光ドラム３の表面を露光する。これにより、画像データに基づく静電潜像が、感光ドラム３の表面に形成される。
【００６０】
また、アジテータ３５は、トナー収容部３４内のトナーを撹拌して、供給ローラ３２に供給する。供給ローラ３２は、アジテータ３５によって供給されたトナーを現像ローラ３１に供給する。このとき、トナーは、現像ローラ３１と供給ローラ３２との間で正極性に摩擦帯電され、現像ローラ３１に担持される。層厚規制ブレード３３は、現像ローラ３１に担持されたトナーの層厚を一定厚さに規制する。
【００６１】
そして、現像ローラ３１に担持されたトナーは、感光ドラム３表面の静電潜像に供給される。これにより、トナー像が、感光ドラム３の表面に担持される。
【００６２】
用紙Ｐは、給紙トレイ２７から、各種ローラの回転により、所定のタイミングで１枚ずつ、感光ドラム３と転写ローラ５との間に給紙される。感光ドラム３表面のトナー像は、用紙Ｐが感光ドラム３と転写ローラ５との間を通過するときに、用紙Ｐに転写される。
【００６３】
その後、用紙Ｐは、加熱ローラ３６と加圧ローラ３７との間を通過するときに加熱および加圧される。これにより、用紙Ｐ上のトナー像は、用紙Ｐに熱定着される。その後、用紙Ｐは、排紙トレイ２８に排紙される。
【００６４】
また、１次クリーニングローラ６および２次クリーニングローラ７は、感光ドラム３の表面電位よりも高い正極性に帯電される。より詳しくは、２次クリーニングローラ７が１次クリーニングローラ６よりも高い正極性となるように帯電される。
【００６５】
そして、感光ドラム３上に付着している紙粉は、１次クリーニングローラ６と接触する際に、１次クリーニングローラ６上に回収される。すなわち、１次クリーニングローラ６は、感光ドラム３の表面を清掃している。そして、１次クリーニングローラ６上に回収された紙粉は、２次クリーニングローラ７と接触する際に、２次クリーニングローラ７上に回収される。
【００６６】
その後、２次クリーニングローラ７上に回収された紙粉は、スポンジスクレーパ１４によって掻き取られ、紙粉貯留室１５に貯留される。
３．ドラムカートリッジの詳細
図１および図３に示すように、ドラムカートリッジ１は、上記したベースフレーム１０と、上記したカバーフレーム１１と、上記したクリーニングユニット７０とを備えている。
（１）ベースフレーム
ベースフレーム１０は、平面視略矩形の有底枠形状を有し、１対の側壁４１と、前壁４２と、後壁４３と、下壁４４とを一体的に備えている。
【００６７】
１対の側壁４１のそれぞれは、ベースフレーム１０の左右方向両端部のそれぞれに位置している。１対の側壁４１のそれぞれは、側面視略矩形の平板形状を有している。１対の側壁４１のそれぞれは、前後方向に延びている。
【００６８】
前壁４２は、１対の側壁４１の前端部間に架設されている。前壁４２は、正面視略矩形の平板形状を有しており、左右方向に延びている。前壁４２は、ドラムカートリッジ把持部４５を備えている。
【００６９】
後壁４３は、１対の側壁４１の後端部間に架設されている。後壁４３は、正面視略矩形の平板形状を有しており、左右方向に延びている。
【００７０】
下壁４４は、１対の側壁４１の下端部、前壁４２の下端部、および、後壁４３の下端部の間に架設されている。下壁４４は、平面視略矩形の平板形状を有しており、左右方向に延びている。下壁４４の後端部は、上方に向かって突出している。下壁４４は、第１開口部４６と、転写ローラ収容部４７と、第２開口部４８と、開口部の一例としての第３開口部４９と、１対の案内部５０とを有している。
【００７１】
図１に示すように、第１開口部４６は、下壁４４の前後方向略中央部に位置している。第１開口部４６は、平面視略矩形状を有しており、左右方向に延びている。
【００７２】
転写ローラ収容部４７は、下壁４４の中央部のやや後方に位置しており、詳しくは、下壁４４において第１開口部４６の後方に位置している。転写ローラ収容部４７は、下壁４４において下方に向かって窪む凹部であって、側面視略Ｕ字形状を有している。転写ローラ収容部４７は、転写ローラ５を回転可能な状態で収容している。
【００７３】
図１および図４に示すように、第２開口部４８は、下壁４４の後方部に位置しており、詳しくは、下壁４４において転写ローラ収容部４７の後方に位置している。第２開口部４８は、正面視略矩形状を有しており、左右方向に延びている。
【００７４】
第３開口部４９は、下壁４４の後端部であって左右方向中央部に位置している。詳しくは、第３開口部４９は、下壁４４において第２開口部４８の後方に位置している。第３開口部４９は、底面視略矩形状を有しており、左右方向に延びている。第３開口部４９の前端縁は、第２開口部４８の後端縁と連続している。
【００７５】
１対の案内部５０は、下壁４４の後端部の左右方向両端部に位置している。１対の案内部は、下壁４４から下方に向かって突出している。１対の案内部５０のそれぞれは、左右方向内方に向かうにつれて先細る略三角錐形状を有している。図１に示すように、１対の案内部５０のそれぞれは、左右方向に投影したときに、第３開口部４９の下方に位置している。すなわち、第３開口部４９は、上下方向において、後述する１次クリーニングローラ６と１対の案内部５０との間に位置している。
【００７６】
図３および図８に示すように、下壁４４の後方部には、１対の下ガイドリブ５１が位置している。詳しくは、１対の下ガイドリブ５１のそれぞれは、下壁４４の後方部の左右方向両端部から上方に向かって突出している。１対の下ガイドリブ５１のそれぞれは、側面視略矩形の板形状を有している。１対の下ガイドリブ５１のそれぞれの上端縁が下ガイド部５１Ａである。左右方向に投影したときに、１対の下ガイドリブ５１のそれぞれの下ガイド部５１Ａは、後上方と前下方とを結ぶ方向に沿って傾斜している。換言すれば、１対の下ガイドリブ５１のそれぞれの下ガイド部５１Ａは、後述する１対のばね７５の押圧方向に沿って延びている。
（２）カバーフレーム
カバーフレーム１１は、平面視略矩形の板形状を有し、ベースフレーム１０の後方部の上端を被覆している。カバーフレーム１１は、１対の上ガイドリブ５２を備えている。
【００７７】
１対の上ガイドリブ５２のそれぞれは、カバーフレーム１１の後方部の左右方向両端部に位置している。１対の上ガイドリブ５２のそれぞれは、側面視略矩形の板形状を有しており、カバーフレーム１１から下方に向かって延びている。１対の上ガイドリブ５２のそれぞれの下端縁が上ガイド部５２Ａである。左右方向に投影したときに、１対の上ガイドリブ５２のそれぞれの上ガイド部５２Ａは、後上方と前下方とを結ぶ方向に沿って傾斜している。換言すれば、１対の上ガイドリブ５２のそれぞれの上ガイド部５２Ａは、後述する１対のばね７５の押圧方向に沿って延びている。
【００７８】
また、１対の上ガイドリブ５２のそれぞれの上ガイド部５２Ａは、１対の下ガイドリブ５１のそれぞれの下ガイド部５１Ａの上方に間隔を隔てて位置している。左右方向に投影したときに、１対の上ガイドリブ５２のそれぞれの上ガイド部５２Ａと、１対の下ガイドリブ５１のそれぞれの下ガイド部５１Ａとは、平行に延びている。１対の上ガイドリブ５２のそれぞれの上ガイド部５２Ａと、１対の下ガイドリブ５１のそれぞれの下ガイド部５１Ａとがガイド部を構成している。
【００７９】
図１に示すように、ドラムカートリッジ１において、カバーフレーム１１、１対の側壁４１の後端部、後壁４３、下壁４４の後端部により囲まれる空間が第１収容部５３である。また、ドラムカートリッジ１における第１収容部５３の前方において、１対の側壁４１、前壁４２、下壁４４により囲まれる空間が現像カートリッジ３０が収容される第２収容部５４である。
【００８０】
第１収容部５３は、上記した感光ドラム３と、クリーニングユニット７０とを収容している。
【００８１】
感光ドラム３は、第１収容部５３において前方部に位置している。感光ドラム３は、左右方向に延びるドラム軸３Ａと、ドラム軸３Ａの外周面を被覆する略筒形状のドラム本体３Ｂとを備えている。感光ドラム３は、ドラム軸３Ａの左右方向両端部が１対の側壁４１に回転可能に支持されることで、左右方向に延びる第１軸線の一例としての軸線Ｌ１を中心として回転可能である。
（３）クリーニングユニット
クリーニングユニット７０は、第１収容部５３において後方部に位置している。詳しくは、クリーニングユニット７０は、第１収容部５３において、感光ドラム３の後方に位置している。図１および図８に示すように、クリーニングユニット７０は、上記したクリーニングフレーム６０と、上記した１次クリーニングローラ６と、上記した２次クリーニングローラ７と、１対のベアリング７１とを備えている。
【００８２】
図１に示すように、クリーニングフレーム６０は、側面視略コ字状であって、左右方向に延び、前端部が開口された略ボックス形状を有している。クリーニングフレーム６０は、１対の側壁６１と、後壁６２と、上壁６４と、下壁６３とを一体的に備えている。
【００８３】
１対の側壁６１のそれぞれは、クリーニングフレーム６０の左右方向両端部のそれぞれに位置している。１対の側壁６１のそれぞれは、側面視略矩形の平板形状を有している。
【００８４】
後壁６２は、１対の側壁６１の後端部間に架設されている。後壁６２は、正面視略矩形の平板形状を有しており、左右方向に延びている。
【００８５】
上壁６４は、１対の側壁６１の上端部、および、後壁６２の上端部の間に架設されている。上壁６４は、平面視略矩形の平板形状を有しており、左右方向に延びている。上壁６４は、側面視において、前方部が前下方に向かって屈曲している。上壁６４の下面には、スポンジスクレーパ１４が支持されている。
【００８６】
スポンジスクレーパ１４は、左右方向に延びる略角柱形状を有している。
【００８７】
下壁６３は、１対の側壁６１の下端部、および、後壁６２の下端部の間に架設されている。下壁６３は、平面視略矩形の平板形状を有しており、左右方向に延びている。下壁６３は、仕切壁１２と操作部７２とを備えている。
【００８８】
仕切壁１２は、下壁６３の前後方向途中部から上方に向かって突出している。仕切壁１２は、正面視略矩形の板形状であって、左右方向に延びている。仕切壁１２の上端部には、正面視略矩形を有するフィルム１３が取り付けられている。
【００８９】
図１および図４に示すように、操作部７２は、底面視略コ字状の屈曲板形状を有しており、下壁６３の左右方向中央部から下方に向かって突出している。操作部７２は、左右方向に間隔を隔てて位置する１対の第１リブ７２Ａと、第２リブ７２Ｂとを備えている。
【００９０】
１対の第１リブ７２Ａのそれぞれは、前後方向に沿って延びる側面視略矩形の平板形状を有しており、下壁６３の中央部からやや左右方向の外方部分において、下方に突出している。
【００９１】
第２リブ７２Ｂは、左右方向に沿って延びる背面視略矩形の平板形状を有しており、下壁６３の中央部から下方に突出している。第２リブ７２Ｂは、１対の第１リブ７２Ａのそれぞれの後端部間に架設されている。
【００９２】
これにより、操作部７２は、クリーニングフレーム６０の内方に向かって凹む凹部を構成している。
【００９３】
また、図４に示すように、操作部７２は、ベースフレーム１０の第３開口部４９から露出している。詳しくは、図１に示すように、操作部７２は、第３開口部４９を介してカバーフレーム１１から下方に突出しており、左右方向に投影したときに、１対の第１リブ７２Ａのそれぞれの下端部、および、第２リブ７２Ｂの下端部は、ベースフレーム１０の第３開口部４９よりも下方に位置している。また、操作部７２は、１次クリーニングローラ６と感光ドラム３との接触部分における接線Ａを境界として、感光ドラム３の反対側に位置している。
【００９４】
１次クリーニングローラ６は、クリーニングフレーム６０の前端部に位置している。１次クリーニングローラ６は、１次クリーニング軸６Ａと、１次クリーニング本体６Ｂとを備えている。
【００９５】
１次クリーニング軸６Ａは、左右方向に延びる略円柱形状を有している。図８に示すように、１次クリーニング軸６Ａの直径の寸法は、後下方と前上方とを結ぶ方向における下ガイド部５１Ａと上ガイド部５２Ａとの間の寸法よりも小さい。図５に示すように、１次クリーニング軸６Ａの左右方向両端部は、クリーニングフレーム６０の左右方向両端部から露出している。
【００９６】
図１に示すように、１次クリーニング本体６Ｂは、１次クリーニング軸６Ａの左右方向両端部を除く部分を被覆している。１次クリーニング本体６Ｂの前下端部は、感光ドラム３の後上方部と接触している。
【００９７】
２次クリーニングローラ７は、クリーニングフレーム６０内において、１次クリーニングローラ６の後上方に位置している。２次クリーニングローラ７は、２次クリーニング軸７Ａと、２次クリーニング本体７Ｂとを備えている。
【００９８】
２次クリーニング軸７Ａは、左右方向に延びる略円柱形状を有している。図８に示すように、２次クリーニング軸７Ａの直径の寸法は、後下方と前上方とを結ぶ方向における下ガイド部５１Ａと上ガイド部５２Ａとの間の寸法よりも小さい。図５に示すように、２次クリーニング軸７Ａの左右方向両端部は、クリーニングフレーム６０の左右方向両端部から露出している。
【００９９】
図１に示すように、２次クリーニング本体７Ｂは、２次クリーニング軸７Ａの左右方向両端部を除く部分を被覆している。２次クリーニング本体７Ｂは、その前下端部が１次クリーニング本体６Ｂの後上方部と接触し、その上端部がスポンジスクレーパ１４に接触し、その後下端部がフィルム１３の上端部に接触している。
【０１００】
クリーニングフレーム６０内において、２次クリーニングローラ７、仕切壁１２、フィルム１３、スポンジスクレーパ１４、１対の側壁６１の後方部、後壁６２、下壁６３の後方部、上壁６４の後方部によって、紙粉貯留室１５が区画されている。
【０１０１】
図５および図８に示すように、１対のベアリング７１は、クリーニングフレーム６０の左右方向両端部に位置している。詳しくは、１対のベアリング７１は、クリーニングフレーム６０の左右方向両端部に嵌合状態で取り付けられている。１対のベアリング７１のそれぞれは、１次クリーニングローラ６の１次クリーニング軸６Ａの左右方向両端部、および、２次クリーニングローラ７の２次クリーニング軸７Ａの左右方向両端部を回転可能に保持している。１対のベアリング７１のそれぞれは、図８に示すように、１対の下ガイドリブ５１のそれぞれの下ガイド部５１Ａと１対の上ガイドリブ５２のそれぞれの上ガイド部５２Ａとの間に介在している。
【０１０２】
これにより、１次クリーニングローラ６は、左右方向に延びる軸線Ｌ２を中心として回転可能である。また、２次クリーニングローラ７は、左右方向に延びる軸線Ｌ３を中心として回転可能である。そして、軸線Ｌ２と軸線Ｌ３との間の寸法は一定に保たれている。
【０１０３】
そして、クリーニングユニット７０は、１対のベアリング７１のそれぞれが、１対の下ガイドリブ５１のそれぞれの下ガイド部５１Ａと１対の上ガイドリブ５２のそれぞれの上ガイド部５２Ａにガイドされることにより、後上方と前下方とを結ぶ方向に沿って移動可能である。また、図５および図８に示すように、クリーニングユニット７０の左右方向両端部の後方には、押圧部材の一例としての１対のばね７５が位置している。
【０１０４】
１対のばね７５のそれぞれは、その一端部が後壁４３の上端部に支持されており、その他端部が１対のベアリング７１のそれぞれに係合している。これにより、１対のばね７５のそれぞれは、後壁４３の上端部と１対のベアリング７１との間に圧縮状態で位置している。そして、１対のベアリング７１のそれぞれは、１対のばね７５のそれぞれによって、常には前下方に向かって付勢されている。すなわち、クリーニングユニット７０は、１対のばね７５のそれぞれによって、常には前下方に向かって付勢されている。これにより、１次クリーニングローラ６は、１対のばね７５のそれぞれによって、常には感光ドラム３に押圧されている。
４．用紙の搬送
上記した画像形成動作においては、用紙Ｐは、図１に示すように、第１開口部４６を通過した後、感光ドラム３の転写位置３Ｃと転写ローラ５との間を通過し、その後、第２開口部４８を通過して、図２に示すように、定着ユニット２４まで移動する。
【０１０５】
このとき、用紙Ｐは、図１に示すように、１対の案内部５０によって安定して後方に案内される。具体的には、用紙Ｐの搬送方向上流側端部のトナー像が定着ユニット２４によって定着される際に、用紙Ｐに反力が加わるため、用紙Ｐの搬送方向の下流側端部がはね上がることがある。この場合、用紙Ｐは、１対の案内部５０のそれぞれに当接してぶれが抑えられる。また、用紙Ｐの左右方向両端部が１対の案内部５０のそれぞれに当接するため、用紙Ｐは湾曲してドラムカートリッジ１に徐々に当接する。そのため、用紙Ｐがドラムカートリッジ１に当接する場合に、用紙Ｐに加わる衝撃が緩和される。
【０１０６】
その後は、用紙Ｐは、上記したように排紙トレイ２８に排紙される。
【０１０７】
通常の画像形成動作においては、図８に示すように、１対のベアリング７１のそれぞれ、すなわち、クリーニングユニット７０は、１対のばね７５の付勢力により、感光ドラム３に向けて押圧されている。そして、１次クリーニングローラ６は、一定の押圧力で感光ドラム３を押圧しつつ、感光ドラム３に接触している。また、クリーニングフレーム６０は、第１位置に位置しており感光ドラム３に近接している。
【０１０８】
このような画像形成動作において、用紙Ｐが湾曲等している場合には、図６および図８に示すように、用紙Ｐが感光ドラム３の転写位置３Ｃを通過して、感光ドラム３と１次クリーニングローラ６との間に入り込むことがある。詳しくは、ドラムカートリッジ１において、用紙Ｐが図１に示す第１開口部４６を通過し、感光ドラム３の転写位置３Ｃと転写ローラ５との間を通過した後、第２開口部４８を通過せずに、感光ドラム３と１次クリーニングローラ６との間に入り込むことがある。この場合、作業者は、プリンタ２０における画像形成動作を中止して、以下のように、用紙Ｐを感光ドラム３と１次クリーニングローラ６との間から引き出す。
５．操作部の操作
詳しくは、作業者は、まず、装置本体２１からプロセスカートリッジ２２を取り出す。そして、作業者は、図４および図６に示すように、ドラムカートリッジ１の後方部の後下方から操作部７２を把持する。
【０１０９】
そして、作業者が操作部７２の第２リブ７２Ｂに、前方から後方に向けて力を加えると、クリーニングフレーム６０、すなわち、クリーニングユニット７０は、１対のばね７５の付勢力に抗して後上方に移動する。
【０１１０】
このとき、図９に示すように、クリーニングユニット７０の１対のベアリング７１が１対の下ガイドリブ５１のそれぞれの下ガイド部５１Ａと１対の上ガイドリブ５２のそれぞれの上ガイド部５２Ａとにガイドされることにより、クリーニングユニット７０が後上方に移動する。
【０１１１】
そして、図７に示すように、クリーニングユニット７０は、感光ドラム３から離れる第２位置に位置する。また、１次クリーニングローラ６は、感光ドラム３から離間する。
【０１１２】
この状態において、作業者は、プロセスカートリッジ２２から用紙Ｐを前方に向かって引っ張り、用紙Ｐを感光ドラム３と１次クリーニングローラ６との間から取り除く。
【０１１３】
その後、作業者は、ドラムカートリッジ１の操作部７２に対する把持を解除する。
【０１１４】
すると、クリーニングユニット７０は、１対のばね７５の付勢力によって前下方に移動して第１位置に位置する。そして、１次クリーニングローラ６は、１対のばね７５の付勢力によって感光ドラム３を押圧しつつ、感光ドラム３に接触する。
【０１１５】
このように、操作部７２は、クリーニングユニット７０、換言すれば、クリーニングフレーム６０を、第１位置と第２位置との間を移動させるように構成される。
６．作用効果
（１）このドラムカートリッジ１によれば、図７に示すように、クリーニングフレーム６０は、感光ドラム３に近接する第１位置と、第１位置よりも感光ドラム３から離れる第２位置との間を移動可能である。また、１次クリーニングローラ６は、クリーニングフレーム６０が第１位置に位置する状態において、感光ドラム３と当接して感光ドラム３の表面を清掃し、クリーニングフレーム６０が第２位置に位置する状態において、感光ドラム３から離間するように構成される。また、クリーニングフレーム６０は、クリーニングフレーム６０を第１位置と第２位置との間を移動させるように構成される操作部７２を有する。
【０１１６】
そのため、１次クリーニングローラ６と感光ドラム３との間に用紙Ｐが入り込んだ場合に、操作部７２を操作することによりクリーニングフレーム６０を第１位置から第２位置に移動させて、１次クリーニングローラ６を感光ドラム３から離間させることができる。
【０１１７】
その結果、１次クリーニングローラ６と感光ドラム３との間に用紙Ｐが入り込んだ場合に、用紙Ｐを容易に取り除くことができる。
【０１１８】
また、１次クリーニングローラ６を収容するクリーニングフレーム６０が、操作部７２を有する。
【０１１９】
そのため、簡易な構成でありながら、１次クリーニングローラ６を感光ドラム３から離間させることができる。
（２）また、このドラムカートリッジ１によれば、図４に示すように、操作部７２は、クリーニングフレーム６０の左右方向中央部に位置する。
【０１２０】
そのため、操作部７２を操作する際に、クリーニングフレーム６０に安定的に力を加えることができる。
【０１２１】
その結果、左右方向に投影したときに、１次クリーニングローラ６を均一な状態で、感光ドラム３に対して当接させ、または、感光ドラム３から離間させることができる。
（３）また、このドラムカートリッジ１によれば、図１に示すように、操作部７２は、感光ドラム３と１次クリーニングローラ６とが当接する当接部分における接線Ａを境界として、感光ドラム３と反対側に位置する。
【０１２２】
そのため、１次クリーニングローラ６を感光ドラム３から離間させるように操作部７２を操作する際に、操作部７２に力を加えやすい。
【０１２３】
その結果、１次クリーニングローラ６を感光ドラム３から確実に離間させることができる。
（４）また、このドラムカートリッジ１によれば、図１に示すように、操作部７２は、クリーニングフレーム６０の内方に向かって凹む凹部を構成している。
【０１２４】
そのため、操作部７２を把持しやすい構成にできる。
【０１２５】
その結果、操作部７２を操作しやすい構成にできる。
（５）また、このドラムカートリッジ１によれば、図４に示すように、ドラムフレーム２は、第３開口部４９を有している。そして、操作部７２は、第３開口部４９を介して露出している。
【０１２６】
そのため、第３開口部４９を介してドラムフレーム２の外方から操作部７２を操作できる。
【０１２７】
その結果、操作部７２を一層操作しやすい構成にできる。
（６）また、このドラムカートリッジ１によれば、図１に示すように、第３開口部４９は、上下方向において１次クリーニングローラ６と１対の案内部５０との間に位置する。
【０１２８】
そのため、ドラムカートリッジ１の後下方から操作部７２を把持できる。
【０１２９】
その結果、操作部７２を一層操作しやすい構成にできる。
【０１３０】
（７）また、このドラムカートリッジ１によれば、図８に示すように、１次クリーニングローラ６を感光ドラム３に向けて押圧する１対のばね７５をさらに備える。
【０１３１】
そのため、１対のばね７５によって常には１次クリーニングローラ６を感光ドラム３に当接させることができる。
【０１３２】
その結果、１次クリーニングローラ６によって感光ドラム３を安定的に清掃できる。
（８）また、このドラムカートリッジ１によれば、図７に示すように、ドラムフレーム２は、１対のばね７５が１次クリーニングローラ６を押圧する押圧方向に沿って延びる下ガイド部５１Ａおよび上ガイド部５２Ａを備える。下ガイド部５１Ａおよび上ガイド部５２Ａは、クリーニングフレーム６０の第１位置と第２位置との間の移動をガイドするように構成されるガイド部を構成する。
【０１３３】
そのため、下ガイド部５１Ａおよび上ガイド部５２Ａによって、クリーニングフレーム６０を、第１位置と第２位置との間を円滑に移動させることができる。
【０１３４】
その結果、１次クリーニングローラ６を、感光ドラム３に円滑に当接させ、または、感光ドラム３から円滑に離間させることができる。
７．第２実施形態
図１０を参照して、ドラムカートリッジ１の第２実施形態を説明する。なお、第２実施形態において、上記第１実施形態と同様の部材には同様の符号を付し、その説明を省略する。
【０１３５】
上記第１実施形態では、作業者がドラムカートリッジ１の操作部７２に対する把持を解除すると、クリーニングユニット７０は、１対のばね７５の付勢力によって前下方に移動して第１位置に位置する。そして、１次クリーニングローラ６は、１対のばね７５の付勢力によって感光ドラム３を押圧しつつ接触する。
【０１３６】
対して、第２実施形態では、１対の保持部材８０によって、１次クリーニングローラ６と感光ドラム３とが離間した状態が保持される。
【０１３７】
詳しくは、図１０に示すように、ドラムカートリッジ１の搬送時等、画像形成動作を行わない場合には、ドラムカートリッジ１の後壁４３の左右方向両端部に１対の保持部材８０が取り付けられる。
【０１３８】
１対の保持部材８０のそれぞれは、基端部８１と、フック８２と、把持部８３とを備えている。
【０１３９】
基端部８１は、側面視略鈍角三角形の平板形状を有している。基端部８１は、側面視において、後上端部に鈍角部分が位置している。基端部８１の鈍角部分には、基端部８１を厚み方向に貫通する係合穴８４が位置している。
【０１４０】
フック８２は、側面視において、基端部８１の前端部に連続している。フック８２は、略半円環形状である鉤形状を有している。
【０１４１】
把持部８３は、側面視において、基端部８１の後端部に連続している。把持部８３は、背面視略矩形の平板形状を有している。把持部８３は、側面視において、基端部８１の他端部から下方に向かって突出しており、平面視において、基端部８１と直交している。
【０１４２】
また、ドラムカートリッジ１においては、後壁４３の左右方向両端部には、左右方向外方に突出する略円柱形状を有する１対の係合突起９０が位置している。１対の係合突起９０のそれぞれの直径は、１対の保持部材８０のそれぞれの係合穴８４の直径よりもやや小さい。
【０１４３】
ドラムカートリッジ１の搬送時等において、作業者は、１対の保持部材８０のそれぞれを、係合穴８４が１対の係合突起９０のそれぞれに係合するようにして後壁４３に取り付ける。
【０１４４】
そして、作業者は、１対の保持部材８０のそれぞれの把持部８３を持ち上げる。
【０１４５】
すると、１対の保持部材８０のそれぞれは、係合穴８４を中心として左側面視時計回り方向に回転する。そして、１対の保持部材８０のそれぞれのフック８２が１対のベアリング７１のそれぞれに係合し、１対のベアリング７１のそれぞれを後上方に引っ張り上げる。そして、１次クリーニングローラ６と感光ドラム３とが離間する。
【０１４６】
また、図８の１対のばね７５の付勢力により、１対のベアリング７１のそれぞれが、１対の保持部材８０のそれぞれのフック８２を押圧する。
【０１４７】
これにより、１対の保持部材８０のそれぞれと１対のベアリング７１のそれぞれとが係合した状態が保たれ、１次クリーニングローラ６と感光ドラム３とが離間した状態が保たれる。換言すれは、図１のクリーニングフレーム６０が第２位置に位置する状態が保たれる。
【０１４８】
そして、ドラムカートリッジ１を装置本体２１に収容する場合には、作業者は、１対の保持部材８０のそれぞれを、１対の係合突起９０のそれぞれから取り外す。
【０１４９】
すると、１次クリーニングローラ６は、１対のばね７５の付勢力によって感光ドラム３を押圧しつつ、感光ドラム３に接触し、ドラムカートリッジ１において画像形成動作が可能な状態が保たれる。
【０１５０】
第２実施形態のドラムカートリッジ１によれば、クリーニングフレーム６０を第２位置に位置した状態で保持する１対の保持部材８０をさらに備える。
【０１５１】
そのため、ドラムカートリッジ１の搬送時等、画像形成動作を行わない場合に、１対の保持部材８０によって１次クリーニングローラ６が感光ドラム３から離間した状態を保持できる。
【０１５２】
その結果、感光ドラム３の劣化を抑制できる。
【符号の説明】
【０１５３】
１      ドラムカートリッジ
２      ドラムフレーム
３      感光ドラム
６      １次クリーニングローラ
１０    ベースフレーム
１１    カバーフレーム
４９    第３開口部
５１Ａ  下ガイド部
５２Ａ  上ガイド部
６０    クリーニングフレーム
７２    操作部
７５    ばね
【図１】
2015194574.tif 000003
【図２】
2015194574.tif 000004
【図３】
2015194574.tif 000005
【図４】
2015194574.tif 000006
【図５】
2015194574.tif 000007
【図６】
2015194574.tif 000008
【図７】
2015194574.tif 000009
【図８】
2015194574.tif 000010
【図９】
2015194574.tif 000011
【図１０】
2015194574.tif 000012